(57)【要約】  本発明のコネクタプロテクタは、一端にオスコネクタ部を備えると共に他端にメスコネクタ部を備える医療用コネクタを取出し可能に収容するコネクタプロテクタであって、前記医療用コネクタに着脱可能な接続部を有すると共に少なくとも前記オスコネクタ部を被覆可能なオスキャップと、少なくとも前記メスコネクタ部を被覆可能なメスキャップとを備えることを特徴とするものである。
2017056464.tif 000002
【特許請求の範囲】
【請求項１】
一端にオスコネクタ部を備えると共に他端にメスコネクタ部を備える医療用コネクタを取出し可能に収容するコネクタプロテクタであって、
前記医療用コネクタに着脱可能な接続部を有すると共に少なくとも前記オスコネクタ部を被覆可能なオスキャップと、
少なくとも前記メスコネクタ部を被覆可能なメスキャップとを備えることを特徴とするコネクタプロテクタ。
【請求項２】
前記オスキャップ及び前記メスキャップの一方は外側筒部を備え、
前記オスキャップ及び前記メスキャップの他方は、前記外側筒部に嵌入可能な内側筒部を備える、請求項１に記載のコネクタプロテクタ。
【請求項３】
前記オスキャップの前記接続部は、前記オスコネクタ部を嵌入可能な筒状をなしている、請求項１又は２に記載のコネクタプロテクタ。
【請求項４】
前記内側筒部を前記外側筒部に挿入して前記オスキャップと前記メスキャップの内部に前記医療用コネクタを収容すると共に、前記内側筒部を前記外側筒部内に所定の深さまで挿入した第１の収容状態では、前記メスキャップは前記医療用コネクタと嵌合しており、
前記第１の収容状態から更に前記内側筒部を前記外側筒部内により深く挿入した第２の収容状態では、前記メスキャップは前記医療用コネクタと第１の嵌合力で嵌合しており、前記オスキャップの前記接続部は前記オスコネクタ部と前記第１の嵌合力よりも強い第２の嵌合力で嵌合している、請求項２に記載のコネクタプロテクタ。
【請求項５】
前記内側筒部の基端部は、その外周面を拡径する段差を形成する拡径段差部に連なっており、
前記内側筒部の外周面には、前記第１の収容状態において前記外側筒部に当接することで前記内側筒部の前記外側筒部に対する挿入深さを規制する少なくとも１つの突起が設けられており、
前記拡径段差部は、前記外側筒部が前記少なくとも１つの突起に乗り上げ前記第２の収容状態となったとき、前記外側筒部の先端部に当接して前記内側筒部の前記外側筒部に対する更なる挿入を阻止する、請求項４に記載のコネクタプロテクタ。
【請求項６】
前記オスコネクタ部の外周面、及び前記オスキャップの前記接続部の内周面は、互いに同一の角度で傾斜するテーパ状に形成されている、請求項３に記載のコネクタプロテクタ。
【請求項７】
前記医療用コネクタは、前記オスコネクタ部と前記メスコネクタ部とを一体に連結する基部と、該基部に一体に連結するルアーロック用の雌ねじ部を有するロック筒部とを備え、
前記メスキャップは、前記基部と係合して該基部の前記メスキャップに対する回転を防止する係合部を備える、請求項１〜６のいずれか一項に記載のコネクタプロテクタ。
【請求項８】
前記メスキャップは一端が閉塞し他端が開口した筒状をなしており、
前記メスキャップ内に前記医療用コネクタが位置するときは、少なくとも前記オスコネクタ部の先端部が前記メスキャップの前記他端から突出する、請求項１〜７のいずれか一項に記載のコネクタプロテクタ。
【発明の詳細な説明】
【技術分野】
【０００１】
本発明は、一端にオスコネクタ部を備えると共に他端にメスコネクタ部を備える医療用コネクタを取出し可能に収容するコネクタプロテクタに関し、特に、医療用コネクタのオスコネクタ部に汚染を生じることなく該医療用コネクタのメスコネクタ部を他の医療用コネクタに接続できるようにするものである。
【背景技術】
【０００２】
従来、例えば医療用の各種機器や輸液容器、送液器具などで用いられ、医療器具の管体を接続するための医療用コネクタにおいて、一端にオスコネクタ部を備えると共に他端にメスコネクタ部を備えるものが知られている。また、そのような医療用コネクタを医療現場に供給するに際しては、殺菌された医療用コネクタの衛生状態を保つために、医療用コネクタを取出し可能に収容するコネクタ容器が用いられている（例えば、特許文献１参照）。【０００３】
特許文献１の図１７，１８に記載されるコネクタ容器は、医療用コネクタを被覆可能な一端が閉塞した略円筒状をなすハウジングと、該ハウジングの他端に剥ぎ取り可能に貼着されたシート状の蓋とを備えている。該コネクタ容器によれば、蓋を剥ぎ取ることで、ハウジングの他端から医療用コネクタのオスコネクタ部を露出させることができる。そして、ハウジングで医療用コネクタのメスコネクタ部を被覆した状態のままで、露出させた医療用コネクタのオスコネクタ部を他の医療用コネクタ（例えば、患者に留置された輸液ラインに配置された医療用コネクタ）のメスコネクタ部に接続することができる。【０００４】
このように、特許文献１に記載されるコネクタ容器によれば、医療用コネクタのメスコネクタ部が外部と接触することを防止して該メスコネクタ部に汚染が生じることを防止しつつ、該医療用コネクタのオスコネクタ部を他の医療用コネクタに接続することができる。
【先行技術文献】
【特許文献】
【０００５】
【特許文献１】特許第４３６２０１５号公報
【発明の概要】
【発明が解決しようとする課題】
【０００６】
しかしながら、特許文献１に記載されるような従来のコネクタ容器は、医療用コネクタのメスコネクタ部を他の医療用コネクタ（例えば、輸液バッグに接続された輸液ラインに配置された医療用コネクタ）のオスコネクタ部に接続する際には、用いることができなかった。【０００７】
本発明は、このような課題を解決するために開発されたもので、医療用コネクタのオスコネクタ部に汚染を生じることなく該医療用コネクタのメスコネクタ部を他の医療用コネクタに接続できるコネクタプロテクタを提供することを目的とする。
【課題を解決するための手段】
【０００８】
本発明のコネクタプロテクタは、一端にオスコネクタ部を備えると共に他端にメスコネクタ部を備える医療用コネクタを取出し可能に収容するコネクタプロテクタであって、前記医療用コネクタに着脱可能な接続部を有すると共に少なくとも前記オスコネクタ部を被覆可能なオスキャップと、少なくとも前記メスコネクタ部を被覆可能なメスキャップとを備えることを特徴とする。【０００９】
ここで、本発明のコネクタプロテクタは、前記オスキャップ及び前記メスキャップの一方が外側筒部を備え、前記オスキャップ及び前記メスキャップの他方は、前記外側筒部に嵌入可能な内側筒部を備えることが好ましい。【００１０】
また、本発明のコネクタプロテクタは、前記オスキャップの前記接続部が、前記オスコネクタ部を嵌入可能な筒状をなしていることが好ましい。【００１１】
また、本発明のコネクタプロテクタは、前記内側筒部を前記外側筒部に挿入して前記オスキャップと前記メスキャップの内部に前記医療用コネクタを収容すると共に、前記内側筒部を前記外側筒部内に所定の深さまで挿入した第１の収容状態では、前記メスキャップは前記メスコネクタ部と嵌合しており、前記第１の収容状態から更に前記内側筒部を前記外側筒部内により深く挿入した第２の収容状態では、前記メスキャップは前記メスコネクタ部と第１の嵌合力で嵌合しており、前記オスキャップの前記接続部は前記オスコネクタ部と前記第１の嵌合力よりも強い第２の嵌合力で嵌合していることが好ましい。【００１２】
また、本発明のコネクタプロテクタは、前記内側筒部の基端部が、その外周面を拡径する段差を形成する拡径段差部に連なっており、前記内側筒部の外周面には、前記第１の収容状態において前記外側筒部に当接することで前記内側筒部の前記外側筒部に対する挿入深さを規制する少なくとも１つの突起が設けられており、前記拡径段差部は、前記外側筒部が前記少なくとも１つの突起に乗り上げ前記第２の収容状態となったとき、前記外側筒部の先端部に当接して前記内側筒部の前記外側筒部に対する更なる挿入を阻止することが好ましい。【００１３】
また、本発明のコネクタプロテクタは、前記オスコネクタ部の外周面、及び前記オスキャップの前記接続部の内周面が、互いに同一の角度で傾斜するテーパ状に形成されていることが好ましい。【００１４】
また、本発明のコネクタプロテクタは、前記医療用コネクタが、前記オスコネクタ部と前記メスコネクタ部とを一体に連結する基部と、該基部に一体に連結するルアーロック用の雌ねじ部を有するロック筒部とを備え、前記メスキャップは、前記基部と係合して該基部の前記メスキャップに対する回転を防止する係合部を備えることが好ましい。【００１５】
さらに、本発明のコネクタプロテクタは、前記メスキャップが、一端が閉塞し他端が開口した筒状をなしており、前記メスキャップ内に前記医療用コネクタが位置するときは、少なくとも前記オスコネクタ部の先端部が前記メスキャップの前記他端から突出することが好ましい。
【発明の効果】
【００１６】
本発明によれば、オスキャップの接続部を医療用コネクタに接続し、該医療用コネクタのオスコネクタ部をオスキャップで被覆した状態で、メスキャップを除去して露出させた医療用コネクタのメスコネクタ部を他の医療用コネクタに接続させることができる。【００１７】
したがって、本発明によれば、医療用コネクタのオスコネクタ部に汚染を生じることなく該医療用コネクタのメスコネクタ部を他の医療用コネクタに接続できるコネクタプロテクタを提供することができる。
【図面の簡単な説明】
【００１８】
【図１】本発明の一実施形態に係るコネクタプロテクタを示す斜視図である。
【図２】図１のコネクタプロテクタに収容される医療用コネクタの一例を示す斜視図である。
【図３】図１のコネクタプロテクタに図２の医療用コネクタを収容した状態（プロテクタ付き医療用コネクタ）を示す側面図であり、第１の収容状態を示す。
【図４】（ａ）は図３のＸ−Ｘ線に沿う一部断面側面図であり、（ｂ）は（ａ）のＡ部拡大図である。
【図５】図３に示す第１の収容状態でオスキャップとメスキャップとを互いに離脱させたときの状態を示す側面図である。
【図６】図３の状態でオスキャップとメスキャップとを互いに押し付けたときの状態を示す側面図であり、第２の収容状態を示す。
【図７】（ａ）は図６のＹ−Ｙ線に沿う一部断面側面図であり、（ｂ）は（ａ）のＢ部拡大図である。
【図８】図６に示す第２の収容状態でオスキャップとメスキャップとを互いに離脱させたときの状態を示す側面図である。
【図９】図１のコネクタプロテクタの変形例を図５に準じて示す側面図である。
【図１０】図１のコネクタプロテクタの他の変形例を示す斜視図である。
【発明を実施するための形態】
【００１９】
以下、図１〜図８を参照して、本発明の一実施形態に係るコネクタプロテクタ１について詳細に例示説明する。
図１に示すように、本実施形態に係るコネクタプロテクタ１は、オスキャップ１０と、メスキャップ２０とを備えている。また、本実施形態に係るコネクタプロテクタ１は、図２に示す医療用コネクタ３０を取出し可能に収容するものである。
【００２０】
医療用コネクタ３０は、オスコネクタ部３１とメスコネクタ部３２と、を備えている。また、医療用コネクタ３０は、オスコネクタ部３１とメスコネクタ部３２とを一体に連結する基部３３と、該基部３３に一体に連結し、オスコネクタ部３１に対応するルアーロック用の雌ねじ部（図示省略）を内周面に有するロック筒部３４とを備えている。また、メスコネクタ部３２の外周面には、ルアーロック用の雄ねじ部３２ａが設けられている。オスコネクタ部３１とメスコネクタ部３２とは、それぞれ、ＩＳＯ５９４−１に準拠した径寸法及びテーパ角度を有している。また、ロック筒部３４の雌ねじ部（図示省略）と、メスコネクタ部３２の雄ねじ部３２ａとは、それぞれ、ＩＳＯ５９４−２に準拠したものとなっている。
【００２１】
オスコネクタ部３１とメスコネクタ部３２とは、それぞれ、医療用コネクタ３０の中心軸線Ｏに沿って延びている。また、この軸線Ｏに沿う医療用コネクタ３０の一端にオスコネクタ部３１が配置され、その他端にメスコネクタ部３２が配置されている。
【００２２】
図１〜図３に示すように、コネクタプロテクタ１のオスキャップ１０は、医療用コネクタ３０のオスコネクタ部３１を被覆可能に構成されている。また、メスキャップ２０は、医療用コネクタ３０のメスコネクタ部３２を被覆可能に構成されている。
【００２３】
オスキャップ１０は、図１及び図４に示すように、円筒状の周壁部１１と、該周壁部１１の一端を閉塞する半球状の閉塞壁部１２と、閉塞壁部１２からコネクタプロテクタ１の中心軸線Ｏに沿って突出する円筒状をなす接続部１３とを備えている。コネクタプロテクタ１の中心軸線Ｏと、医療用コネクタ３０の中心軸線Ｏとは、本実施形態においては、医療用コネクタ３０の収容状態において互いに一致している。
【００２４】
周壁部１１は、メスキャップ２０の後述する外側筒部２１ｂに嵌入可能な内側筒部１１ａを備えている。また、周壁部１１は、内側筒部１１ａの基端部に連なりその外周面を拡径する段差を形成する拡径段差部１１ｂを備えている。内側筒部１１ａの外周面には、複数の突起１１ｃが互いに等間隔を空けて周設されている。複数の突起１１ｃは、それぞれ、拡径段差部１１ｂから軸線Ｏに沿って延びている。なお、突起１１ｃの個数は適宜変更することができ、また、突起１１ｃは必ずしも複数設ける必要はなく、少なくとも１つ設ければよい。
【００２５】
接続部１３は、医療用コネクタ３０のオスコネクタ部３１に着脱可能に構成されている。より具体的には、接続部１３の内周面は、オスコネクタ部３１の外周面と同一の角度で傾斜するテーパ状に形成されており、接続部１３にオスコネクタ部３１が深く挿入されるほど、接続部１３とオスコネクタ部３１との間の嵌合力が高まるようになっている。
【００２６】
メスキャップ２０は、円筒状の周壁部２１と、該周壁部２１の一端を閉塞する半球状の閉塞壁部２２とを備えている。周壁部２１の一端側部分の内径は、医療用コネクタ３０の基部３３におけるメスコネクタ部３２側の端部を隙間なく挿入できる大きさになっている。すなわち、周壁部２１は、メスキャップ２０が医療用コネクタ３０を収容した状態において、医療用コネクタ３０の基部３３と嵌合している。また、周壁部２１の一端側部分と閉塞壁部２２との内側には、複数（本実施形態では４つ）のリブ２３が等間隔を空けて周設されている。各リブ２３は略Ｌ字状をなし、メスコネクタ部３２の天面（図４における右側の面）、雄ねじ部３２ａの外周面、及び基部３３におけるメスコネクタ部３２側の端面に当接して医療用コネクタ３０を支持できるようになっている。
【００２７】
また、周壁部２１の内周面には、基部３３の外周面に設けられた凸部３５と係合することで医療用コネクタ３０の回転を防止する凹部２１ａが設けられている。本実施形態では、凸部３５は、周方向に等間隔を空けて配置された２つの先端部３５ａを有している。また本実施形態では、凹部２１ａは、周方向に等間隔を空けて配置された６つの先端部２１ａ１を有している。凹部２１ａの各先端部２１ａ１に連なる部分は、各先端部２１ａ１に向けて周方向の幅が狭まるように形成されている。したがって、医療用コネクタ３０をメスキャップ２０に挿入する過程で、医療用コネクタ３０の凸部３５の各先端部３５ａが、凹部２１ａの６つの先端部２１ａ１のうちの２つにスムーズに案内される。
【００２８】
周壁部２１の他端部は、前述したオスキャップ１０の内側筒部１１ａを嵌入可能な外側筒部２１ｂとして構成されている。外側筒部２１ｂの内周面には、基端（図４における右側端）に向かって縮径する段差を形成する縮径段差部２１ｂ１が周設されている。内側筒部１１ａを外側筒部２１ｂに挿入してオスキャップ１０とメスキャップ２０の内部に医療用コネクタ３０を収容すると共に、内側筒部１１ａを外側筒部２１ｂ内に所定の深さまで挿入した第１の収容状態では、図３〜図４に示すように、複数の突起１１ｃが縮径段差部２１ｂ１に当接することで内側筒部１１ａの外側筒部２１ｂに対する挿入深さを規制している。
【００２９】
そして、この第１の収容状態では、メスキャップ２０は医療用コネクタ３０の基部３３と嵌合しており、オスキャップ１０とメスキャップ２０とを互いに離脱させると、図５に示すように、医療用コネクタ３０がメスキャップ２０側に残るようになっている。したがって、この状態でメスキャップ２０を持って回転させることで、医療用コネクタ３０のオスコネクタ部３１を、他の医療用コネクタ（例えば、患者に留置された輸液ラインに配置された医療用コネクタ）のメスコネクタ部に接続することができる。また、その際は、医療用コネクタ３０のメスコネクタ部３２はメスキャップ２０に覆われているため、メスコネクタ部３２が外部と接触することを防止することができる。したがって、メスコネクタ部３２で汚染が生じることを防止することができる。
【００３０】
次に、図３〜図４に示した第１の収容状態から更に内側筒部１１ａを外側筒部２１ｂ内により深く挿入すると、図６〜図７に示すように、縮径段差部２１ｂ１が複数の突起１１ｃに乗り上げ、拡径段差部１１ｂが外側筒部２１ｂの先端部に当接して内側筒部１１ａの外側筒部２１ｂに対する更なる挿入を阻止した第２の収容状態となる。また、このとき、オスキャップ１０の接続部１３には医療用コネクタ３０のオスコネクタ部３１が嵌入される。
【００３１】
この第２の収容状態では、メスキャップ２０は医療用コネクタ３０と第１の嵌合力で嵌合しており、オスキャップ１０の接続部１３はオスコネクタ部３１と第１の嵌合力よりも強い第２の嵌合力で嵌合している。したがって、第２の収容状態では、図８に示すように、オスキャップ１０とメスキャップ２０とを互いに離脱させると医療用コネクタ３０がオスキャップ１０側に残るようになっている。したがって、この状態で医療用コネクタ３０の基部３３を持って回転させることで、医療用コネクタ３０のメスコネクタ部３２を、他の医療用コネクタ（例えば、輸液バッグに接続された輸液ラインに配置された医療用コネクタ）のオスコネクタ部に接続することができる。また、その際は、医療用コネクタ３０のオスコネクタ部３１はオスキャップ１０に覆われているため、オスコネクタ部３１が外部と接触することを防止することができる。したがって、オスコネクタ部３１で汚染が生じることを防止することができる。また、メスコネクタ部３２の接続が終わった後は、オスキャップ１０を、オスコネクタ部３１に適宜被せておくことでオスコネクタ部３１の衛生状態を維持するカバー部材として用いることができる。
【００３２】
なお、コネクタプロテクタ１（オスキャップ１０及びメスキャップ２０）の材料としては、例えば、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；などの各種樹脂材料が挙げられる。また、これらのうちの１種以上を含むブレンド体やポリマーアロイなどでもよい。その他に、各種ガラス材、セラミックス材料、金属材料であってもよい。
【００３３】
以上説明したように、本実施形態に係るコネクタプロテクタ１は、一端にオスコネクタ部３１を備えると共に他端にメスコネクタ部３２を備える医療用コネクタ３０を取出し可能に収容するコネクタプロテクタ１であって、医療用コネクタ３０に着脱可能な接続部１３を有すると共に少なくともオスコネクタ部３１を被覆可能なオスキャップ１０と、少なくともメスコネクタ部３２を被覆可能なメスキャップ２０とを備えるという構成になっている。
【００３４】
したがって、本実施形態に係るコネクタプロテクタ１によれば、オスキャップ１０の接続部１３を医療用コネクタ３０に接続し、該医療用コネクタ３０のオスコネクタ部３１をオスキャップ１０で被覆した状態で、メスキャップ２０を除去して露出させた医療用コネクタ３０のメスコネクタ部３２を他の医療用コネクタに接続させることができる。したがって、本実施形態に係るコネクタプロテクタ１によれば、医療用コネクタ３０のオスコネクタ部３１に汚染を生じることなく該医療用コネクタ３０のメスコネクタ部３２を他の医療用コネクタに接続することができる。
【００３５】
また、本実施形態に係るコネクタプロテクタ１は、メスキャップ２０は外側筒部２１ｂを備え、オスキャップ１０は外側筒部２１ｂに嵌入可能な内側筒部１１ａを備えるという構成になっている。
【００３６】
したがって、本実施形態に係るコネクタプロテクタ１によれば、簡単な構成によってメスキャップ２０とオスキャップ１０との接続を可能とすることができる。
【００３７】
また、本実施形態に係るコネクタプロテクタ１は、オスキャップ１０の接続部１３が、オスコネクタ部３１を嵌入可能な筒状をなしているという構成になっている。
【００３８】
したがって、本実施形態に係るコネクタプロテクタ１によれば、メスキャップ２０とオスキャップ１０とを互いに対して押し付けるという簡単な操作で接続部１３にオスコネクタ部３１を嵌入させて接続することができる。
【００３９】
また、本実施形態に係るコネクタプロテクタ１は、内側筒部１１ａを外側筒部２１ｂに挿入してオスキャップ１０とメスキャップ２０の内部に医療用コネクタ３０を収容すると共に、内側筒部１１ａを外側筒部２１ｂ内に所定の深さまで挿入した第１の収容状態では、メスキャップ２０は医療用コネクタ３０と嵌合しており、第１の収容状態から更に内側筒部１１ａを外側筒部２１ｂ内により深く挿入した第２の収容状態では、メスキャップ２０は医療用コネクタ３０と第１の嵌合力で嵌合しており、オスキャップ１０の接続部１３はオスコネクタ部３１と前記第１の嵌合力よりも強い第２の嵌合力で嵌合しているという構成になっている。
【００４０】
したがって、本実施形態に係るコネクタプロテクタ１によれば、第１の収容状態と第２の収容状態とのいずれからコネクタプロテクタ１を開くかを選択することにより、医療用コネクタ３０のオスコネクタ部３１とメスコネクタ部３２とのいずれを露出させるかを選択することができる。
【００４１】
また、本実施形態に係るコネクタプロテクタ１は、内側筒部１１ａの基端部は、その外周面を拡径する段差を形成する拡径段差部１１ｂに連なっており、内側筒部１１ａの外周面には、第１の収容状態において外側筒部２１ｂに当接することで内側筒部１１ａの外側筒部２１ｂに対する挿入深さを規制する少なくとも１つの突起１１ｃが設けられており、拡径段差部１１ｂは、外側筒部２１ｂが少なくとも１つの突起１１ｃに乗り上げ第２の収容状態となったとき、外側筒部２１ｂの先端部に当接して内側筒部１１ａの外側筒部２１ｂに対する更なる挿入を阻止するという構成になっている。
【００４２】
したがって、本実施形態に係るコネクタプロテクタ１によれば、簡単な構成によって、第１の収容状態と第２の収容状態とのそれぞれにおけるオスキャップ１０とメスキャップ２０との互いに対する位置決めを実現することができる。
【００４３】
また、本実施形態に係るコネクタプロテクタ１は、オスコネクタ部３１の外周面、及びオスキャップ１０の接続部１３の内周面は、互いに同一の角度で傾斜するテーパ状に形成されているという構成になっている。
【００４４】
したがって、本実施形態に係るコネクタプロテクタ１によれば、簡単な構成によって、接続部１３にオスコネクタ部３１が嵌入される際の嵌合力を効果的に高めることができる。
【００４５】
さらに、本実施形態に係るコネクタプロテクタ１は、医療用コネクタ３０が、オスコネクタ部３１とメスコネクタ部３２とを一体に連結する基部３３と、該基部３３に一体に連結するルアーロック用の雌ねじ部を有するロック筒部３４とを備え、メスキャップ２０は、基部３３と係合して該基部３３のメスキャップ２０に対する回転を防止する係合部（本実施形態では凹部２１ａ及び凸部３５）を備えるという構成になっている。
【００４６】
したがって、本実施形態に係るコネクタプロテクタ１によれば、第１の収容状態からオスキャップ１０を取外し、メスキャップ２０を持って回転させることでオスコネクタ部３１を他の医療用コネクタに接続するに際し、メスキャップ２０と医療用コネクタ３０との間で相対回転が生じるのを防止することができ、スムーズな接続を可能にすることができる。
【００４７】
なお、本実施形態に係るコネクタプロテクタ１は、メスキャップ２０が外側筒部２１ｂを備え、オスキャップ１０が内側筒部１１ａを備えるものとして説明したが、オスキャップ１０が外側筒部２１ｂを備え、メスキャップ２０が内側筒部１１ａを備える構成とすることも可能である。
【００４８】
また、本実施形態に係るコネクタプロテクタ１は、メスキャップ２０が一端が閉塞し他端が開口した筒状をなしており、メスキャップ２０内に医療用コネクタ３０が位置するときは、オスコネクタ部３１の先端部がメスキャップ２０の前記他端から突出しないように構成されているが、変形例として、図９に示すような構成としてもよい。すなわち、本変形例に係るコネクタプロテクタ１’では、メスキャップ２０’内に医療用コネクタ３０が位置するときは、少なくともオスコネクタ部３１の先端部がメスキャップ２０’の前記他端から突出するように構成されている。本変形例によれば、目視によるオスコネクタ部３１の接続作業を容易にすることができる。
【００４９】
さらに、本実施形態に係るコネクタプロテクタ１の他の変形例として、図１０に示すような構成とすることもできる。すなわち、本変形例に係るコネクタプロテクタ１”では、コネクタプロテクタ１”が作業台上で転がって落下するといった不都合が生じないようにするために、外側表面に平面状の部分を設けている。
【００５０】
すなわち、メスキャップ２０”の周壁部２１”の一端側の外周面には、周方向に間隔を空けて複数（本例では４つ）の平面状をなす面取り部２４を設けている。また、周壁部２１”の他端側の外周面には、軸線Ｏに沿って延びる複数の突起２５が等間隔を空けて周設されている。これらの面取り部２４及び複数の突起２５によって、コネクタプロテクタ１”の転がりを防止することができる。また、オスキャップ１０”の閉塞壁部１２”は平面状をなしている。したがって、この閉塞壁部１２”を底部として、医療用コネクタ３０（図２参照）を収容したコネクタプロテクタ１”を起立させておくこともできる。また、面取り部２４及び複数の突起２５は、メスキャップ２０”を持って回転させることで医療用コネクタ３０のオスコネクタ部３１を他の医療用コネクタに接続する際に滑り止めとして機能するため、接続作業をスムーズにすることができる。
【００５１】
また、本変形例では、オスキャップ１０”が外側筒部２１ｂ”を備え、メスキャップ２０”が内側筒部１１ａ”を備える構成となっている。そして、第１の収容状態では、外側筒部２１ｂ”の先端部が少なくとも１つの（本例では複数）の突起１１ｃ”に当接することで内側筒部１１ａ”の外側筒部２１ｂ”に対する挿入深さを規制し、第２の収容状態では、少なくとも１つの突起１１ｃ”に乗り上げた外側筒部２１ｂ”の先端部が拡径段差部１１ｂ”に当接して内側筒部１１ａ”の外側筒部２１ｂ”に対する更なる挿入を阻止するようになっている。
【００５２】
なお、本変形例では、凹部２１ａ”は、周方向に等間隔を空けて配置された４つの先端部２１ａ１”を有している。また、複数（本例では４つ）のリブ２３”は、医療用コネクタ３０のメスコネクタ部３２の天面、及び基部３３の外周面に当接して医療用コネクタ３０を支持できるようになっている。
【００５３】
本変形例のその他の構成は、図１〜図８を用いて説明した実施形態の場合と同一の構成になっている。したがって、本変形例に係るコネクタプロテクタ１”によれば、図１〜図８を用いて説明した実施形態の場合と同一の効果を得られる上に、コネクタプロテクタ１”の転がりによる台上からの落下を防止し、また、医療用コネクタ３０のオスコネクタ部３１の接続作業をスムーズにすることができる。
【００５４】
前述したところは、本発明の一実施形態を示したにすぎず、特許請求の範囲において、種々の変更を加えることができる。例えば、前述した実施形態では、オスキャップ１０，１０’，１０”及びメスキャップ２０，２０’，２０”の一方が外側筒部２１ｂ，２１ｂ’，２１ｂ”を備え、オスキャップ１０，１０’，１０”及びメスキャップ２０，２０’，２０”の他方が、外側筒部２１ｂ，２１ｂ’，２１ｂ”に嵌入可能な内側筒部１１ａ，１１ａ’，１１ａ”を備えているが、必ずしもこのような構成に限られない。すなわち、オスキャップ１０，１０’，１０”とメスキャップ２０，２０’，２０”とを、第１の収容状態に対応する第１の連結状態と、第２の収容状態に対応する第２の連結状態とを選択可能な連結部を介して相互連結する任意の構成を採用することができる。但し、本発明は、そのような連結部を備える構成に限定されるものではない。
【００５５】
また、前述した実施形態では、接続部１３，１３’，１３”は、オスコネクタ部３１を嵌入可能に構成されているが、医療用コネクタ３０に着脱可能であれば任意の構成とすることができる。例えば、接続部１３，１３’，１３”は、オスコネクタ部３１の内周面に嵌入可能に構成することができ、或いは、オスコネクタ部３１のためのロック筒部３４を嵌入可能に構成してもよい。
【００５６】
また、前述した各コネクタプロテクタ１，１’，１”において、転がりによる台上からの落下を防止するために、オスキャップ１０，１０’，１０”又はメスキャップ２０，２０’，２０”に外周面から突出する円板状のフランジ部を設け、コネクタプロテクタ１，１’，１”が円を描くように転がる構成としてもよい。
【符号の説明】
【００５７】
１，１’，１”  コネクタプロテクタ
１０，１０’，１０”  オスキャップ
１１  周壁部
１１ａ，１１ａ’，１１ａ”  内側筒部
１１ｂ，１１ｂ”  拡径段差部
１１ｃ，１１ｃ”  突起
１２，１２”  閉塞壁部
１３，１３’，１３”  接続部
２０，２０’，２０”  メスキャップ
２１，２１”  周壁部
２１ａ，２１ａ”  凹部（係合部）
２１ａ１，２１ａ１”  先端部
２１ｂ，２１ｂ’，２１ｂ”  外側筒部
２１ｂ１  縮径段差部
２２  閉塞壁部
２３，２３”  リブ
２４  面取り部
２５  突起
３０  医療用コネクタ
３１  オスコネクタ部
３２  メスコネクタ部
３２ａ  雄ねじ部
３３  基部
３４  ロック筒部
３５  凸部（係合部）
３５ａ  先端部
Ｏ  軸線
【図１】
2017056464.tif 000003
【図２】
2017056464.tif 000004
【図３】
2017056464.tif 000005
【図４】
2017056464.tif 000006
【図５】
2017056464.tif 000007
【図６】
2017056464.tif 000008
【図７】
2017056464.tif 000009
【図８】
2017056464.tif 000010
【図９】
2017056464.tif 000011
【図１０】
2017056464.tif 000012
【国際調査報告】
2017056464.tif 000013
2017056464.tif 000014